(57)【要約】【課題】複数の方向から配信される地上波を受信するＴＶ放送受信装置において、選局可能なチャンネルをユーザが任意に登録又は削除設定できるようにすると共に、設定変更時の使い勝手を向上させる。【解決手段】ＴＶ放送受信装置は、チャンネル番号５１及び各チャンネルを受信する際のスマートアンテナの最適受信方向５２と共に、各チャンネルが選局可能なチャンネルとして登録されているか否かを示す登録チャンネル情報５３を受信方向テーブル５０に登録する。あるチャンネルの登録チャンネル情報５３が削除された際、このチャンネルの最適受信方向５２を削除せずに受信方向テーブル５０に保持し、このチャンネルについて、再度、登録チャンネル情報５３が登録された際に、受信方向テーブル５０に保持されている最適受信方向５２を利用する。このため、登録チャンネル情報５３の登録の際に、新たに最適受信方向５２を決定するための処理を行う必要がない。【選択図】  図６
2006014062.tif 000002
【特許請求の範囲】
【請求項１】
予め定められている複数の受信方向を有する多指向性アンテナが接続され、前記複数の受信方向のうちのいずれか１つの受信方向のみを有効にして、放送局から各チャンネルで配信されるテレビジョン放送信号を受信するテレビジョン放送受信装置において、
前記多指向性アンテナに対して、テレビジョン放送信号を受信するための受信方向を指示するための制御信号を出力する制御信号出力手段と、
前記多指向性アンテナが接続され、テレビジョン放送信号の受信を行う受信手段と、
放送局から配信される各チャンネルのチャンネル番号、これら各チャンネルを受信する際の前記多指向性アンテナの最適受信方向、及びこれら各チャンネルが選局可能なチャンネルとして登録されているか否かを示す登録チャンネル情報を含む受信方向テーブルを記憶する受信方向テーブル記憶手段と、
前記制御信号出力手段により前記多指向性アンテナの全ての受信方向を順次指示して、前記受信手段によりテレビジョン放送信号を受信することにより、受信したテレビジョン放送信号の受信強度に基づいて、前記放送局から配信される任意の１チャンネルについて前記最適受信方向及び前記登録チャンネル情報を決定し、前記受信方向テーブルの内容を更新するオートスキャン手段と、
前記オートスキャン手段による処理を繰り返すことにより、前記放送局から配信される全てのチャンネルについて、前記最適受信方向及び前記登録チャンネル情報を決定し、前記受信方向テーブルの内容を更新する全域スキャン手段と、
前記受信方向テーブル記憶手段に記憶された前記受信方向テーブルに対して、ユーザにより前記登録チャンネル情報の登録操作又は削除操作がされる際に、該受信方向テーブルに登録されている前記各チャンネルのチャンネル番号、最適受信方向、及び登録チャンネル情報をモニタ出力する受信方向テーブル出力手段と、
ユーザにより前記登録チャンネル情報の削除操作がされた際に、削除操作されたチャンネルの登録チャンネル情報を前記受信方向テーブルから削除すると共に、このチャンネルの最適受信方向を前記受信方向テーブルに保持し、ユーザにより前記登録チャンネル情報の登録操作がされた際に、登録操作されたチャンネルの登録チャンネル情報を前記受信方向テーブルに登録すると共に、既に登録されているこのチャンネルの最適受信方向を、そのままこのチャンネルの最適受信方向とする受信方向テーブル編集手段と、
を備えたことを特徴とするテレビジョン放送受信装置。
【請求項２】
予め定められている複数の受信方向を有する多指向性アンテナが接続され、前記複数の受信方向のうちのいずれか１つの受信方向のみを有効にして、放送局から各チャンネルで配信されるテレビジョン放送信号を受信するテレビジョン放送受信装置において、
前記多指向性アンテナに対して、テレビジョン放送信号を受信するための受信方向を指示するための制御信号を出力する制御信号出力手段と、
前記多指向性アンテナが接続され、テレビジョン放送信号の受信を行う受信手段と、
放送局から配信される各チャンネルのチャンネル番号、これら各チャンネルを受信する際の前記多指向性アンテナの最適受信方向、及びこれら各チャンネルが選局可能なチャンネルとして登録されているか否かを示す登録チャンネル情報を含む受信方向テーブルを記憶する受信方向テーブル記憶手段と、
ユーザにより前記登録チャンネル情報の削除操作がされた際に、削除操作されたチャンネルの登録チャンネル情報を前記受信方向テーブルから削除すると共に、このチャンネルの最適受信方向を前記受信方向テーブルに保持し、ユーザにより前記登録チャンネル情報の登録操作がされた際に、登録操作されたチャンネルの登録チャンネル情報を前記受信方向テーブルに登録すると共に、既に登録されているこのチャンネルの最適受信方向を、そのままこのチャンネルの最適受信方向とする受信方向テーブル編集手段と、
を備えたことを特徴とするテレビジョン放送受信装置。
【請求項３】
前記受信方向テーブル記憶手段に記憶された前記受信方向テーブルに対して、ユーザにより前記登録チャンネル情報の登録操作又は削除操作がされる際に、該受信方向テーブルに登録されている前記各チャンネルのチャンネル番号、最適受信方向、及び登録チャンネル情報をモニタ出力する受信方向テーブル出力手段を備えたことを特徴とする請求項２に記載のテレビジョン放送受信装置。
【発明の詳細な説明】
【技術分野】
【０００１】
本発明は、複数の方向から配信されるテレビジョン放送信号を受信するテレビジョン放送受信装置に関する。
【背景技術】
【０００２】
ＡＴＳＣディジタルテレビジョン放送が行われている北米大陸では、平野部に大都市が点在するため、各都市の近郊で放送されているディジタルテレビジョン放送信号を他の都市や、その中間地点で受信することが可能である。また、従来のＮＴＳＣアナログテレビジョン放送も引き続き行われている。テレビジョン放送信号を受信するユーザ側から見ると、様々な方向からテレビジョン放送信号が配信されてくるため、自分の見たい番組が放送されている放送局の方向にアンテナの向きを調節する必要がある。そこで、スマートアンテナなど多指向性アンテナが実用化されつつある。
【０００３】
ＥＩＡ−９０９規格によれば、スマートアンテナは円を１６分割した各方向に受信方向を有すると規定されている。そして、実際に市販されている多指向性アンテナの中には、アンテナをモータで回転させて受信方向を切り換えるタイプや、複数のアンテナを有し、電子スイッチのオン／オフにより有効なアンテナの方向を切り換えるタイプ（アンテナ自体は回転しない）など、様々な構造のものが存在する。
【０００４】
一方、このような多指向性アンテナに接続されるテレビジョン放送受信装置は、多指向性アンテナの受信方向を調節できるように設定されており、ユーザが選択したチャンネルのテレビジョン放送信号を最も状態良く受信できるアンテナの方向を自動的に選択するオートスキャン機能を備えたものも存在する。
【０００５】
また、各チャンネル毎に多指向性アンテナの最適な受信方向を決定し、この情報を予めメモリ（記憶部）に記憶することにより、チャンネル選局時に、この情報に基づいてアンテナの受信方向を自動的に制御するようにした装置等が知られている（例えば、特許文献１及び特許文献２参照）。また、アンテナの受信方向を自動的に制御する他の装置として、例えば、特許文献３及び特許文献４に記載される装置なども知られている。なお、地上ディジタル放送を受信するための受信装置としては、例えば、特許文献５に記載される受信装置などが知られている。
【特許文献１】特開平８−２５０９２０号公報
【特許文献２】特開平４−３４５３２９号公報
【特許文献３】特開昭６２−２６９４０４号公報
【特許文献４】実開平２−１０１６０９号公報
【特許文献５】特開２００３−１６３８４９号公報
【発明の開示】
【発明が解決しようとする課題】
【０００６】
しかしながら、上記特許文献１又は特許文献２の装置等では、選局可能な各チャンネルの情報をメモリに記憶し、チャンネル選局時にこの情報に基づいてアンテナの受信方向を自動的に制御することができるものの、選局可能なチャンネルを、ユーザが任意に登録又は削除設定することができるものではない。
【０００７】
また、あるチャンネルを新たに選局可能なチャンネルとして登録する際には、このチャンネルについて最適な受信方向を決定する必要があるが、このとき、多指向性アンテナの各受信方向の受信状態を比較して、新たに最適な受信方向を決定すると、各受信方向の受信状態を検知するのに時間を要することとなる。この間、ユーザはこのチャンネルを選局することができず、使い勝手があまりよくなかった。なお、上述した特許文献３乃至特許文献５に開示の内容を適用したとしても、上述した問題を解決することはできない。
【０００８】
本発明は、上記の問題を解決するためになされたものであり、選局可能なチャンネルをユーザが任意に登録又は削除設定できるようにすると共に、設定変更時の使い勝手を向上させることができるテレビジョン放送受信装置を提供することを目的とする。
【課題を解決するための手段】
【０００９】
上記目的を達成するために請求項１の発明は、予め定められている複数の受信方向を有する多指向性アンテナが接続され、前記複数の受信方向のうちのいずれか１つの受信方向のみを有効にして、放送局から各チャンネルで配信されるテレビジョン放送信号を受信するテレビジョン放送受信装置において、前記多指向性アンテナに対して、テレビジョン放送信号を受信するための受信方向を指示するための制御信号を出力する制御信号出力手段と、前記多指向性アンテナが接続され、テレビジョン放送信号の受信を行う受信手段と、放送局から配信される各チャンネルのチャンネル番号、これら各チャンネルを受信する際の前記多指向性アンテナの最適受信方向、及びこれら各チャンネルが選局可能なチャンネルとして登録されているか否かを示す登録チャンネル情報を含む受信方向テーブルを記憶する受信方向テーブル記憶手段と、前記制御信号出力手段により前記多指向性アンテナの全ての受信方向を順次指示して、前記受信手段によりテレビジョン放送信号を受信することにより、受信したテレビジョン放送信号の受信強度に基づいて、前記放送局から配信される任意の１チャンネルについて前記最適受信方向及び前記登録チャンネル情報を決定し、前記受信方向テーブルの内容を更新するオートスキャン手段と、前記オートスキャン手段による処理を繰り返すことにより、前記放送局から配信される全てのチャンネルについて、前記最適受信方向及び前記登録チャンネル情報を決定し、前記受信方向テーブルの内容を更新する全域スキャン手段と、前記受信方向テーブル記憶手段に記憶された前記受信方向テーブルに対して、ユーザにより前記登録チャンネル情報の登録操作又は削除操作がされる際に、該受信方向テーブルに登録されている前記各チャンネルのチャンネル番号、最適受信方向、及び登録チャンネル情報をモニタ出力する受信方向テーブル出力手段と、ユーザにより前記登録チャンネル情報の削除操作がされた際に、削除操作されたチャンネルの登録チャンネル情報を前記受信方向テーブルから削除すると共に、このチャンネルの最適受信方向を前記受信方向テーブルに保持し、ユーザにより前記登録チャンネル情報の登録操作がされた際に、登録操作されたチャンネルの登録チャンネル情報を前記受信方向テーブルに登録すると共に、既に登録されているこのチャンネルの最適受信方向を、そのままこのチャンネルの最適受信方向とする受信方向テーブル編集手段とを備えたことを特徴とする。
【００１０】
請求項２の発明は、予め定められている複数の受信方向を有する多指向性アンテナが接続され、前記複数の受信方向のうちのいずれか１つの受信方向のみを有効にして、放送局から各チャンネルで配信されるテレビジョン放送信号を受信するテレビジョン放送受信装置において、前記多指向性アンテナに対して、テレビジョン放送信号を受信するための受信方向を指示するための制御信号を出力する制御信号出力手段と、前記多指向性アンテナが接続され、テレビジョン放送信号の受信を行う受信手段と、放送局から配信される各チャンネルのチャンネル番号、これら各チャンネルを受信する際の前記多指向性アンテナの最適受信方向、及びこれら各チャンネルが選局可能なチャンネルとして登録されているか否かを示す登録チャンネル情報を含む受信方向テーブルを記憶する受信方向テーブル記憶手段と、ユーザにより前記登録チャンネル情報の削除操作がされた際に、削除操作されたチャンネルの登録チャンネル情報を前記受信方向テーブルから削除すると共に、このチャンネルの最適受信方向を前記受信方向テーブルに保持し、ユーザにより前記登録チャンネル情報の登録操作がされた際に、登録操作されたチャンネルの登録チャンネル情報を前記受信方向テーブルに登録すると共に、既に登録されているこのチャンネルの最適受信方向を、そのままこのチャンネルの最適受信方向とする受信方向テーブル編集手段とを備えたことを特徴とする。
【００１１】
請求項３の発明は、請求項２のテレビジョン放送受信装置において、前記受信方向テーブル記憶手段に記憶された前記受信方向テーブルに対して、ユーザにより前記登録チャンネル情報の登録操作又は削除操作がされる際に、該受信方向テーブルに登録されている前記各チャンネルのチャンネル番号、最適受信方向、及び登録チャンネル情報をモニタ出力する受信方向テーブル出力手段を備えたことを特徴とする。
【発明の効果】
【００１２】
請求項１の発明によれば、ユーザによる登録チャンネル情報の削除操作又は登録操作に基づいて選局可能なチャンネルを任意に設定することができるので、例えば、受信状態が悪いチャンネルについては、予め、選局できるチャンネルの候補から除くことができる。
【００１３】
また、あるチャンネルについて登録チャンネル情報が削除された際、このチャンネルの最適受信方向を削除せずに受信方向テーブルに保持し、このチャンネルについて、再度、登録チャンネル情報が登録された際に、受信方向テーブルに保持されている最適受信方向をそのまま利用するので、登録チャンネル情報の登録の際に、新たに最適受信方向を決定するための処理を実行する必要がなく、素早くチャンネルの選局処理を開始することが可能となり、設定変更時の使い勝手を向上させることができる。
【００１４】
更に、ユーザにより登録チャンネル情報の登録操作又は削除操作がされる際に、受信方向テーブルに登録されている各チャンネルのチャンネル番号、最適受信方向、及び登録チャンネル情報がモニタ出力されるので、ユーザは受信方向テーブルの内容を参照しながら登録チャンネル情報を変更することができる。また、オートスキャン手段及び全域スキャン手段を備えるので、受信方向テーブルの内容を容易に更新することが可能となる。
【００１５】
請求項２の発明によれば、ユーザによる登録チャンネル情報の削除操作又は登録操作に基づいて選局可能なチャンネルを任意に設定することができる。また、あるチャンネルについて登録チャンネル情報が削除された際、このチャンネルの最適受信方向を削除せずに受信方向テーブルに保持し、このチャンネルについて、再度、登録チャンネル情報が登録された際に、受信方向テーブルに保持されている最適受信方向をそのまま利用するので、登録チャンネル情報の登録の際に、新たに最適受信方向を決定するための処理を実行する必要がない。
【００１６】
請求項３の発明によれば、ユーザにより登録チャンネル情報の登録操作又は削除操作がされる際に、受信方向テーブルに登録されている各チャンネルのチャンネル番号、最適受信方向、及び登録チャンネル情報がモニタ出力されるので、ユーザは受信方向テーブルの内容を参照しながら登録チャンネル情報を変更することができる。
【発明を実施するための最良の形態】
【００１７】
本発明の一実施の形態に係るテレビジョン（ＴＶ）放送受信装置について説明する。ユーザが家庭においてディジタルＴＶ放送信号（以下、単にＴＶ放送信号という）を受信する状況を図１に示す。ディジタルＴＶ放送が行われている地域では、受信したＴＶ放送信号の強度が一定の閾値以上であれば、補正などにより一定の画質の画像が得られる。そのため、図１に示すように、Ａ地域、Ｂ地域、Ｃ地域など複数箇所に点在する放送局から送信されてくるＴＶ放送信号を受信して、ＴＶ番組を視聴することができる。このような状況に対応して、複数の受信方向を有するスマートアンテナと呼ばれる多指向性アンテナが実用化されている。
【００１８】
図２に示されるように、ＴＶ放送受信装置１は、このようなスマートアンテナ２に接続され、スマートアンテナ２の有効な受信方向を切り替えることにより、複数箇所に点在する放送局から所定周波数帯域で配信されてくるＴＶ放送信号を受信して、各チャンネルのＴＶ放送信号に含まれるＴＶ番組をモニタ装置３に出力する。なお、本実施の形態の説明では、ＴＶ番組の放送に使用されている搬送波の周波数帯域である物理チャンネルのことを、単にチャンネルという。
【００１９】
ＴＶ放送受信装置１は、スマートアンテナ２に接続されＴＶ放送信号を受信するチューナ（受信手段）１１、チューナ１１で受信したＴＶ放送信号に対して所定の信号処理を行い、復号化するフロントエンド１２、ＭＰＥＧ圧縮されていたＴＶ放送信号をデコードするＭＰＥＧデコーダ１３、デコードされたＴＶ放送信号に所定の表示画像を重畳させるオンスクリーンディスプレイ（ＯＳＤ）部１４、チューナ１１により受信したＴＶ放送信号の受信状態を検知し、スマートアンテナ２の制御ユニット２２を制御すると共に、ＴＶ放送受信装置１全体を制御する制御部（制御信号出力手段）１５、受信方向テーブルを記憶するメモリ（受信方向テーブル記憶手段）１６、及びモジュラ端子１７などで構成されている。制御部１５は、後述するオートスキャン処理、全域スキャン処理、及び受信方向テーブル編集処理を実行することにより、オートスキャン手段、全域スキャン手段、受信方向テーブル編集手段として機能する。
【００２０】
メモリ１６に記憶される受信方向テーブルは、放送局から配信される各チャンネルのチャンネル番号、これら各チャンネルを受信する際のスマートアンテナ２の最適受信方向、及びこれら各チャンネルが選局可能なチャンネルとして登録されているか否かを示す登録チャンネル情報を含んでいる。制御部１５は、この登録チャンネル情報に基づいて、選局可能なチャンネルとして登録されているチャンネルについてのみ選局処理を実行し、選局処理時にメモリ１６から選局されるチャンネルの最適受信方向を読み出して、この最適受信方向を指示する制御信号をスマートアンテナ２に出力することにより、選局処理を実行する。なお、以下においては、あるチャンネルが選局可能なチャンネルとして登録されている状態をＡＤＤフラグがオン状態であると表現し、あるチャンネルが選局不可能なチャンネルとして登録されている状態をＡＤＤフラグがオフ状態であると表現する。また、受信方向テーブルから登録チャンネル情報が削除されることを、ＡＤＤフラグをオン状態からオフ状態に変更すると表現し、受信方向テーブルに登録チャンネル情報が登録されることを、ＡＤＤフラグをオフ状態からオン状態に変更すると表現する。
【００２１】
オンスクリーンディスプレイ部１４は受信方向テーブル出力手段として機能し、後述する受信方向テーブル編集処理の際に、受信方向テーブルに登録されている各チャンネルのチャンネル番号、最適受信方向、及び登録チャンネル情報を示す画像をＴＶ放送信号に重畳させる。ＭＰＥＧデコーダ１３によりデコードされたＴＶ放送信号は、オンスクリーンディスプレイ部１４を介してモニタ装置３に出力され、表示される。
【００２２】
スマートアンテナ２は、有効な受信方向を機械的又は電子的に切り替えることにより複数の受信方向Ｄ１〜Ｄ１６（図３参照）からＴＶ放送信号を受信するアンテナ部２１と、アンテナ部２１の動作を制御する制御ユニット２２とを備えている。制御ユニット２２は、ＴＶ放送受信装置１からの制御信号に応じて、アンテナ部２１の複数ある受信方向Ｄ１〜Ｄ１６のうち、指示された受信方向のみを有効にする。
【００２３】
次に、放送局から配信される任意の１チャンネルについて最適受信方向等を決定する際のＴＶ放送受信装置１によるオートスキャン処理について図４のフローチャートを参照して説明する。ユーザによりオートスキャンモードが選択され、最適受信方向を決定するチャンネルが設定されると、制御部１５は、スマートアンテナ２の受信方向Ｄ１〜Ｄ１６の数に応じてカウンタの初期値ｎ（ここでは”１６”）を設定する（Ｓ１）。そして、第ｎ番目の方向を指定する制御信号をスマートアンテナ２に出力し（Ｓ２）、チューナ１１により所定チャンネルのＴＶ放送信号を受信する（Ｓ３）。さらに、ＴＶ放送受信装置１は、受信したＴＶ放送信号の受信強度を測定し、測定結果をメモリ１６に記憶する（Ｓ４）。そして、カウンタを１つ減算し（Ｓ５）、スマートアンテナ２の全ての受信方向についてＴＶ放送信号の受信強度を測定したか否かを判断する（Ｓ６）。全ての受信方向についてＴＶ放送信号の受信強度を測定していない場合は（Ｓ６でＮＯ）、ステップＳ２に戻って次の受信方向についてＴＶ放送信号の受信強度を測定する。全ての受信方向についてＴＶ放送信号の受信強度の測定が完了すると（Ｓ６でＹＥＳ）、制御部１５は、メモリ１６に記憶されている測定データを読み出し、読み出した全ての受信強度を比較して（Ｓ７）、受信強度が最大となる方向を最適受信方向として決定し（Ｓ８）、受信方向テーブルに登録する（Ｓ９）。更に、この最適受信方向の受信強度が所定値以上か否か判断し（Ｓ１０）、所定値以上であれば（Ｓ１０でＹＥＳ）、受信方向テーブルのＡＤＤフラグをオンにして処理を終了する（Ｓ１１）。一方、最適受信方向の受信強度が所定値以下であれば（Ｓ１０でＮＯ）、ＡＤＤフラグをオンにせず（すなわち、ＡＤＤフラグがオフ状態のまま）、処理を終了する。
【００２４】
次に、図５のフローチャートを参照して、放送局から配信される全てのチャンネルについて最適受信方向等を決定する、全域スキャン処理について説明する。制御部１５は、ユーザにより全域スキャンモードが選択されると、放送局から配信されるチャンネル数に応じて、カウンタの初期値ｍ、及び最適受信方向を決定するチャンネル数ｍｍａｘを設定する（Ｓ２１）。そして、第ｍ番目のチャンネルについて上記オートスキャン処理を実行することにより、このチャンネルについて最適受信方向及び登録チャンネル情報を決定し、受信方向テーブルに登録する（Ｓ２２）。そして、カウンタを１つ加算し（Ｓ２３）、全てのチャンネルについてオートスキャン処理が実行されたか否かを判断する（Ｓ２４）。全てのチャンネルについてオートスキャン処理が実行されていない場合は（Ｓ２４でＮＯ）、ステップＳ２２に戻って次のチャンネルについてオートスキャン処理が実行され、全てのチャンネルについて最適受信方向及び登録チャンネル情報が受信方向テーブルに登録されると（Ｓ２４でＹＥＳ）、処理を終了する。
【００２５】
図６は、上記全域スキャン処理により作成された受信方向テーブルの例を示す図である。受信方向テーブル５０には、チャンネル番号５１と対応させて、最適受信方向５２及び登録チャンネル情報５３が記憶されている。なお、図６において、ＡＤＤフラグのオン状態を”○”印で示し、ＡＤＤフラグのオフ状態を無印で示している。また、最適受信方向５２の欄に記載されている各数字は、図３におけるスマートアンテナ２の受信方向Ｄ１〜Ｄ１６に対応している（例えば、”２”は受信方向Ｄ２に、”３”は受信方向Ｄ３にそれぞれ対応）。
【００２６】
次に、図７乃至図９を参照して、受信方向テーブル編集処理を説明する。制御部１５は、ユーザにより受信方向テーブル編集モードが選択されると、メモリ１６に記憶されている受信方向テーブル５０を読み出して、この受信方向テーブル５０を所定のフォーマットで、モニタ装置３のモニタ画面３０に出力させる（Ｓ４１）。図８は、受信方向テーブル編集モード時のモニタ画面３０の表示例を示す図であり、チャンネル番号５１、最適受信方向５２及び登録チャンネル情報５３が表示されている。ユーザは、この状態でリモコン（不図示）等を用いてカーソル３１を操作し、登録チャンネル情報５３を変更するチャンネルを選択する。このとき、ユーザによるカーソル３１操作に連動して、モニタ画面３０に出力されているＴＶ番組の映像３２及び受信中のチャンネルを示すチャンネル番号３３を変更することが望ましい。このようにすることにより、ユーザは、登録チャンネル情報５３を変更するチャンネルの映像３２を確認しながら、受信方向テーブル５０を編集することが可能となる。
【００２７】
制御部１５は、ユーザにより登録チャンネル情報５３を変更するチャンネルが選択されると（Ｓ４２でＹＥＳ）、選択されたチャンネルのＡＤＤフラグがオン状態であるか否か判断する（Ｓ４３）。そして、選択されたチャンネルのＡＤＤフラグがオン状態であれば（Ｓ４３でＹＥＳ）、ＡＤＤフラグをオフに変更する（Ｓ４４）。このとき、このチャンネルの最適受信方向５２は受信方向テーブル５０に保持される。一方、選択されたチャンネルのＡＤＤフラグがオフ状態であれば（Ｓ４３でＮＯ）、ＡＤＤフラグをオンに変更する（Ｓ４５）。このとき、受信方向テーブル５０には、既に登録されている最適受信方向５２が存在するため、この最適受信方向５２をそのままこのチャンネルの最適受信方向５２とする。
【００２８】
図９は、上記受信方向テーブル編集処理後の受信方向テーブル５０を示す図である。図６に示される受信方向テーブル編集処理前の受信方向テーブル５０の状態から、ユーザの操作により３チャンネルについて、ＡＤＤフラグがオン状態からオフ状態に変更されると、３チャンネルの最適受信方向”９”はそのまま受信方向テーブル５０に保持される。一方、ユーザの操作により、５チャンネルについて、ＡＤＤフラグがオフ状態からオン状態に変更されると、既に登録されている最適受信方向”７”がこのチャンネルの最適受信方向５２として利用される。
【００２９】
本実施の形態のＴＶ放送受信装置１によれば、ユーザによる登録チャンネル情報５３の削除操作又は登録操作に基づいて選局可能なチャンネルを任意に設定することができるので、例えば、受信状態が悪いチャンネルについては、予め、選局できるチャンネルの候補から除くことができる。
【００３０】
また、あるチャンネルについて登録チャンネル情報５３が削除された際、このチャンネルの最適受信方向５２を削除せずに受信方向テーブル５０に保持し、このチャンネルについて、再度、登録チャンネル情報５３が登録された際に、受信方向テーブル５０に保持されている最適受信方向５２をそのまま利用するので、登録チャンネル情報５３の登録の際に、新たに最適受信方向５２を決定するためのオートスキャン処理等を実行する必要がなく、素早くチャンネルの選局処理を開始することが可能となり、設定変更時の使い勝手を向上させることができる。
【００３１】
更に、ユーザにより登録チャンネル情報５３の登録操作又は削除操作がされる際に、受信方向テーブル５０に登録されている各チャンネルのチャンネル番号５１、最適受信方向５２、及び登録チャンネル情報５３がモニタ出力されるので、ユーザは受信方向テーブル５０の内容を参照しながら登録チャンネル情報５３を変更することができる。また、上記オートスキャン処理及び全域スキャン処理を実行することにより、受信方向テーブル５０の内容を容易に更新することができる。
【００３２】
なお、本発明は上記実施の形態の構成に限られることなく種々の変形が可能である。例えば、上記実施の形態では、受信方向テーブル編集モード時のモニタ画面３０に、チャンネル番号５１、最適受信方向５２及び登録チャンネル情報５３を表示する場合について説明したが、更に最適受信方向の受信強度を表示することにより、受信状態の悪いチャンネルをユーザが一目で把握できるようにしてもよい。また、ＴＶ放送受信装置１が受信できるＴＶ放送信号は、ディジタルテレビジョン放送信号に限られずアナログテレビジョン放送信号であってもよい。また、スマートアンテナ２の受信方向数は、上記実施の形態で例示した１６方向に限られず、４方向や８方向など、その他の数であってもよい。
【図面の簡単な説明】
【００３３】
【図１】ユーザが家庭においてＴＶ放送信号を受信する状況を示す概念図。
【図２】本発明の実施形態に係るＴＶ放送受信装置の構成を示すブロック図。
【図３】同受信装置に接続されるスマートアンテナの受信方向の説明図。
【図４】同受信装置によるオートスキャン処理を示すフローチャート。
【図５】同受信装置による全域スキャン処理を示すフローチャート。
【図６】同全域スキャン処理により作成された受信方向テーブルを示す図。
【図７】同受信装置による受信方向テーブル編集処理を示すフローチャート。
【図８】同受信方向テーブル編集処理時のモニタ画面の表示例を示す図。
【図９】同受信方向テーブル編集処理後の受信方向テーブルを示す図。
【符号の説明】
【００３４】
１  テレビジョン放送受信装置
２  スマートアンテナ（多指向性アンテナ）
３  モニタ装置
１１  チューナ（受信手段）
１２  フロントエンド
１３  ＭＰＥＧデコーダ
１４  オンスクリーンディスプレイ部（受信方向テーブル出力手段）
１５  制御部（制御信号出力手段、オートスキャン手段、全域スキャン手段、受信方向テーブル編集手段）
１６  メモリ（受信方向テーブル記憶手段）
１７  モジュラ端子
２１  アンテナ部
２２  制御ユニット
【図１】
2006014062.tif 000003
【図２】
2006014062.tif 000004
【図３】
2006014062.tif 000005
【図４】
2006014062.tif 000006
【図５】
2006014062.tif 000007
【図６】
2006014062.tif 000008
【図７】
2006014062.tif 000009
【図８】
2006014062.tif 000010
【図９】
2006014062.tif 000011